(57)【特許請求の範囲】
【請求項１】
洗面化粧台又は手洗い器に用いられる吐水システムであって、
取付面を有するパネル部と、
前記取付面に取り付けられ、水を吐出する水栓ユニットと、
前記取付面に取り付けられ、菌を減らす機能水を吐出する吐水装置と、
を備え、
前記吐水装置は、前記水栓ユニットよりも下方に配置されるとともに、上部から下部に向かうにつれて厚みを増すように傾斜した前面を有し、
前記吐水装置の上面の前後方向の長さは、前記吐水装置の下部に設けられた吐水口の最大の口径よりも小さいことを特徴とする吐水システム。
【請求項２】
前記吐水装置は、吐止水を操作するための平面状の操作部を前記前面に有することを特徴とする請求項１記載の吐水システム。
【請求項３】
前記吐水装置は、前記操作部の操作を検出し、検出結果に応じた電気信号を出力する電気スイッチを有することを特徴とする請求項２記載の吐水システム。
【請求項４】
前記吐水装置は、状態を表示する表示部を前記前面に有することを特徴とする請求項１〜３のいずれか１つに記載の吐水システム。
【請求項５】
前記吐水装置は、前方に向かうに従って上方に上がるように傾斜した底面を有することを特徴とする請求項１〜４のいずれか１つに記載の吐水システム。
【請求項６】
前記底面の傾斜角度は、水平面に対して０°よりも大きく２０°以下であることを特徴とする請求項５記載の吐水システム。
【請求項７】
前記吐水装置は、一対の側面を有し、
前記一対の側面において、最も幅の広い部分は、互いに略平行であることを特徴とする請求項１〜６のいずれか１つに記載の吐水システム。
【請求項８】
前記吐水装置は、前記取付面に対して直交する回転軸を中心に回転させ、一部を前記パネル部に係止させることによって前記パネル部に取り付けられ、
前記一対の側面の前記最も幅の広い部分は、前記回転軸と離間した位置に設けられることを特徴とする請求項７記載の吐水システム。
【請求項９】
前記吐水装置は、一部を前記パネル部に係止させた後、前記取付面と平行な回転軸を中心に回転させることによって前記パネル部に取り付けられ、
前記一対の側面の前記最も幅の広い部分は、前記回転軸と離間した位置に設けられることを特徴とする請求項７記載の吐水システム。
【請求項１０】
前記吐水装置は、前方に向かうに従って下方に下がるように傾斜した上面を有することを特徴とする請求項１〜９のいずれか１つに記載の吐水システム。
【請求項１１】
前記吐水装置は、前記上面の上端から前記前面の下端に向かって連続的に下方に下がることを特徴とする請求項１０記載の吐水システム。
【請求項１２】
洗面化粧台又は手洗い器において取付面に取り付けられる吐水装置であって、
上部から下部に向かうにつれて厚みを増すように傾斜した前面と、前記前面の下端から前記取付面に向かって延びる底面と、を有するケーシングと、
水を吐出する吐水口を有し、前記吐水口を前記底面に露出させて前記ケーシングに保持され、前記底面から下方に向けて水を吐出する吐水ユニットと、
を備え、
前記ケーシングの上面の前後方向の長さは、前記吐水口の最大の口径よりも小さいことを特徴とする吐水装置。
【発明の詳細な説明】
【技術分野】
【０００１】
本発明の態様は、一般的に、吐水システム及び吐水装置に関する。
【背景技術】
【０００２】
パネル部と、パネル部に取り付けられた水栓ユニットと、を備えた吐水システムがある。吐水システムは、例えば、洗面化粧台や手洗い器などに組み込んで使用される。水栓ユニットは、洗面化粧台の洗面器や手洗い器のボウルなどに向けて上水（水道水）を吐出する。
【０００３】
こうした吐水システムにおいて、水栓ユニットとは別に吐水装置を設けることが考えられている。吐水システムに吐水装置を設け、菌を減らす機能水を吐水装置から吐出する。これにより、例えば、洗面器の排水口などにおいて菌が繁殖してしまうことを抑制することができる。例えば、洗面器などを清潔に保つことができる。
【０００４】
吐水システムに吐水装置を設けた場合に、吐水装置から吐出された機能水が水栓ユニットにかかってしまうと、機能水が水栓ユニットに作用し、悪影響を及ぼす恐れがある。このため、吐水装置は、水栓ユニットよりも下方に配置し、水栓ユニットに対して機能水をかかり難くすることが好ましい。
【０００５】
しかしながら、吐水装置を水栓ユニットよりも下方に配置すると、水栓ユニットから吐出された水や手洗いなどによる汚水が吐水装置にかかり、吐水装置が汚れ易くなってしまうことが懸念される。
【０００６】
このため、吐水システム及び吐水装置では、水栓ユニットよりも下方に吐水装置を配置した場合などにおいても、吐水装置に汚れを発生し難くすることが望まれる。
【先行技術文献】
【特許文献】
【０００７】
【特許文献１】特開平１０−２８７２１号公報
【発明の概要】
【発明が解決しようとする課題】
【０００８】
本発明は、かかる課題の認識に基づいてなされたものであり、汚れの発生し難い吐水システム及び吐水装置を提供することを目的とする。
【課題を解決するための手段】
【０００９】
第１の発明は、洗面化粧台又は手洗い器に用いられる吐水システムであって、取付面を有するパネル部と、前記取付面に取り付けられ、水を吐出する水栓ユニットと、前記取付面に取り付けられ、菌を減らす機能水を吐出する吐水装置と、を備え、前記吐水装置は、前記水栓ユニットよりも下方に配置されるとともに、上部から下部に向かうにつれて厚みを増すように傾斜した前面を有し、前記吐水装置の上面の前後方向の長さは、前記吐水装置の下部に設けられた吐水口の最大の口径よりも小さいことを特徴とする吐水システムである。
【００１０】
この吐水システムによれば、上部から下部に向かうにつれて厚みを増すように吐水装置の前面を傾斜させているので、吐水装置の上部を薄く形成することができる。これにより、水栓ユニットからの吐水や手洗いなどによる汚水を、吐水装置の上部にかかり難くすることができる。また、吐水装置の上部に汚水などがかかったとしても、傾斜した前面から下方に流し易くすることができる。従って、吐水装置の上に水が溜まり、吐水装置に汚れが発生してしまうことを抑制することができる。また、吐水装置を水栓ユニットよりも下方に配置しているので、機能水が水栓ユニットにかかってしまうことを抑制することもできる。
【００１１】
第２の発明は、第１の発明において、前記吐水装置は、吐止水を操作するための平面状の操作部を前記前面に有することを特徴とする吐水システムである。
【００１２】
この吐水システムによれば、平面状の操作部を傾斜した前面に設けることにより、吐水装置の使い勝手を向上させることができるとともに、操作部の部分に水が溜まり、汚れが発生してしまうことを抑制することができる。また、操作部を前方から視認し易くさせることができる。特に、洗面化粧台で利用する場合においては、歯ブラシなどの硬いもので操作される恐れが高いが、このような場合にも、力を逃がし易くし、操作部を破損し難くすることができる。
【００１３】
第３の発明は、第２の発明において、前記吐水装置は、前記操作部の操作を検出し、検出結果に応じた電気信号を出力する電気スイッチを有することを特徴とする吐水システムである。
【００１４】
この吐水システムによれば、例えば、吐水装置からの機能水の吐水及び止水を機械的な機構で切り替える場合に比べて、吐水装置をコンパクトにすることができる。また、吐水装置とは別に水栓ユニットを備えており、吐水装置は、機能水の吐止水に専念できる。従って、電気スイッチには、吐止水を制御するための単一機能のスイッチを用いることができる。
【００１５】
第４の発明は、第１〜第３の発明のいずれか１つにおいて、前記吐水装置は、状態を表示する表示部を前記前面に有することを特徴とする吐水システムである。
【００１６】
この吐水システムによれば、吐水装置の状態を分かりやすくし、吐水装置の使い勝手を向上させることができる。また、例えば、表示部に発光素子を用いた場合にも、発光素子の光が背の低い子供などの眼に直接入射してしまうことを抑制し、安全性を高めることができる。
【００１７】
第５の発明は、第１〜第４の発明のいずれか１つにおいて、前記吐水装置は、前方に向かうに従って上方に上がるように傾斜した底面を有することを特徴とする吐水システムである。
【００１８】
この吐水システムによれば、底面を傾斜させることにより、前面の鉛直方向の長さを短く抑えることが可能となる。前面のサイズが小さくなることで、デザイン的にコンパクトになる。汚水の付着確率がさらに小さくなる。また、洗面時に頭が当たったり、水を溜めたバケツなどが当たり、吐水装置に下方から力が加わった場合にも、力を逃がし易くすることができる。
【００１９】
第６の発明は、第５の発明において、前記底面の傾斜角度は、水平面に対して０°よりも大きく２０°以下であることを特徴とする吐水システムである。
【００２０】
この吐水システムによれば、底面の傾斜がきつくなり、前面が小さくなり過ぎることを抑制することができる。例えば、底面に吐水口を設けた場合に、吐水口が前方に露出してしまうことを抑制することができる。洗面化粧台などに適用した場合であっても、洗顔時に頭をぶつけたり、バケツ使用時に下方から衝突してしまうなどの危険を抑制できる。
【００２１】
第７の発明は、第１〜第６の発明のいずれか１つにおいて、前記吐水装置は、一対の側面を有し、前記一対の側面において、最も幅の広い部分は、互いに略平行であることを特徴とする吐水システムである。
【００２２】
この吐水システムによれば、例えば、吐水装置の施工時などに、吐水装置を持ち易くすることができる。
【００２３】
第８の発明は、第７の発明において、前記吐水装置は、前記取付面に対して直交する回転軸を中心に回転させ、一部を前記パネル部に係止させることによって前記パネル部に取り付けられ、前記一対の側面の前記最も幅の広い部分は、前記回転軸と離間した位置に設けられることを特徴とする吐水システムである。
【００２４】
この吐水システムによれば、例えば、吐水装置の取り付けの際に、吐水装置を回転させ易くすることができる。
【００２５】
第９の発明は、第７の発明において、前記吐水装置は、一部を前記パネル部に係止させた後、前記取付面と平行な回転軸を中心に回転させることによって前記パネル部に取り付けられ、前記一対の側面の前記最も幅の広い部分は、前記回転軸と離間した位置に設けられることを特徴とする吐水システムである。
【００２６】
この吐水システムによれば、例えば、吐水装置の取り付けの際に、吐水装置を回転させ易くすることができる。
【００２７】
第１０の発明は、第１〜第９の発明のいずれか１つにおいて、前記吐水装置は、前方に向かうに従って下方に下がるように傾斜した上面を有することを特徴とする吐水システムである。
【００２８】
この吐水システムによれば、吐水装置の上面に水が溜まることを抑制することができる。吐水装置に汚れが発生することをより抑制することができる。
【００２９】
第１１の発明は、第１０の発明において、前記吐水装置は、前記上面の上端から前記前面の下端に向かって連続的に下方に下がることを特徴とする吐水システムである。
【００３０】
この吐水システムによれば、吐水装置の上面及び前面に水が溜まることをより抑制することができる。吐水装置に汚れが発生することをより抑制することができる。
【００３１】
第１２の発明は、洗面化粧台又は手洗い器において取付面に取り付けられる吐水装置であって、上部から下部に向かうにつれて厚みを増すように傾斜した前面と、前記前面の下端から前記取付面に向かって延びる底面と、を有するケーシングと、水を吐出する吐水口を有し、前記吐水口を前記底面に露出させて前記ケーシングに保持され、前記底面から下方に向けて水を吐出する吐水ユニットと、を備え、前記ケーシングの上面の前後方向の長さは、前記吐水口の最大の口径よりも小さいことを特徴とする吐水装置である。
【００３２】
この吐水装置によれば、上部から下部に向かうにつれて厚みを増すようにケーシングの前面を傾斜させているので、ケーシングの上部を薄く形成することができる。これにより、水栓ユニットからの吐水や手洗いなどによる汚水を、ケーシングの上部にかかり難くすることができる。また、ケーシングの上部に汚水などがかかったとしても、傾斜した前面から下方に流し易くすることができる。従って、ケーシングの上に水が溜まり、吐水装置に汚れが発生してしまうことを抑制することができる。
【発明の効果】
【００３３】
本発明の態様によれば、汚れの発生し難い吐水システム及び吐水装置を提供することができる。
【図面の簡単な説明】
【００３４】
【図１】図１（ａ）及び図１（ｂ）は、実施形態に係る洗面化粧台を表す斜視図及び正面図である。
【図２】図２（ａ）〜図２（ｄ）は、実施形態に係る吐水装置を表す正面図、側面図、底面図、及び斜視図である。
【図３】実施形態に係る吐水装置を表す分解斜視図である。
【図４】実施形態に係る吐水装置を表す断面図である。
【図５】実施形態に係る吐水装置の一部を表す部分断面図である。
【図６】実施形態に係るパネル部の一部を表す斜視図である。
【図７】図７（ａ）〜図７（ｃ）は、実施形態に係る吐水装置の取り付けの一例を表す斜視図である。
【図８】実施形態に係る給水装置を表すブロック図である。
【図９】実施形態に係る吐水装置の第１変形例を表す斜視図である。
【図１０】図１０（ａ）及び図１０（ｂ）は、実施形態に係る吐水装置の第１変形例を表す断面図である。
【図１１】実施形態に係る吐水装置の第２変形例を表す斜視図である。
【図１２】図１２（ａ）及び図１２（ｂ）は、実施形態に係る吐水装置の第２変形例を表す背面図である。
【発明を実施するための形態】
【００３５】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係る洗面化粧台を表す斜視図及び正面図である。  
図１（ａ）及び図１（ｂ）に表したように、洗面化粧台２は、吐水システム１０と、洗面器２０と、支持台３０と、を備える。
【００３６】
洗面器２０は、洗面ボウル２２と、排水口２４と、オーバーフロー排水具２６と、を有する。洗面ボウル２２は、下方に向かって凹んだ凹状に形成されている。排水口２４は、洗面ボウル２２の底部に設けられる。排水口２４は、図示を省略した排水管に接続され、洗面ボウル２２に吐出された水を排水管に流す。
【００３７】
オーバーフロー排水具２６は、洗面ボウル２２内に設けられる。オーバーフロー排水具２６は、図示を省略したオーバーフロー経路を介して排水管に接続される。例えば、ゴム栓などで排水口２４を塞いで洗面ボウル２２内に水を溜めた場合に、オーバーフロー排水具２６の高さに達した水は、オーバーフロー排水具２６を介して排水管に排水される。これにより、オーバーフロー排水具２６は、洗面ボウル２２から水が溢れてしまうことを抑制する。
【００３８】
洗面器２０は、支持台３０の上に設けられる。支持台３０は、洗面器２０を支持する。支持台３０は、例えば、本体部３１と、一対の扉３２、３３と、を有する。本体部３１は、例えば、前方及び上方を開口させた略直方体の開口箱状である。本体部３１の上方の開口は、洗面器２０によって塞がれる。洗面ボウル２２の少なくとも一部は、本体部３１の上方の開口から本体部３１内に入り込む。各扉３２、３３は、本体部３１の前方の開口を開閉可能に塞ぐ。これにより、支持台３０は、物品を収納可能なキャビネットとしても機能する。支持台３０は、換言すれば、下部キャビネットである。支持台３０は、収納機能を有していなくてもよい。支持台３０は、洗面器２０を支持可能な任意の構成でよい。また、洗面器２０は、例えば、洗面所などの壁面に直接取り付けてもよい。すなわち、支持台３０は、必要に応じて設けられ、省略可能である。
【００３９】
吐水システム１０は、パネル部１２と、水栓ユニット１４と、水栓操作部１６と、を有する。パネル部１２は、洗面器２０の後端部の上に設けられる。換言すれば、パネル部１２は、洗面器２０のバックガードの上に設けられる。パネル部１２は、例えば、洗面器２０の上方において、洗面所の壁面などに取り付けられる。パネル部１２は、後方に向けて開口した略直方体の箱状である。
【００４０】
パネル部１２は、取付パネル１２ｆを有する。取付パネル１２ｆは、例えば、板状である。取付パネル１２ｆは、取付面１２ａを有する。取付パネル１２ｆは、鉛直方向に延びる。取付面１２ａは、立面（垂直面）である。取付面１２ａは、鉛直方向に対して傾斜してよい。取付パネル１２ｆは、少なくとも鉛直方向に延びる成分を有していればよい。取付面１２ａは、パネル部１２が洗面器２０の上に取り付けられた状態（使用状態）において前方を向き、洗面化粧台２を使用する使用者と対向する。取付パネル１２ｆは、換言すれば、パネル部１２の前面パネルである。取付面１２ａは、換言すれば、パネル部１２の前面である。
【００４１】
本願明細書においては、取付面１２ａから手前に向かう方向（取付面１２ａの向く方向）を「前方」とし、これと反対の方向を「後方」とする。また、前後方向及び上下方向に対して垂直な方向を左右方向とする。より具体的には、後方を向いた使用者側から見て右側の方向を右方向とし、これと反対の方向を左方向とする。
【００４２】
水栓ユニット１４及び水栓操作部１６は、パネル部１２の取付面１２ａに設けられる。水栓ユニット１４は、洗面器２０の洗面ボウル２２に向けて水を吐出する吐水口１４ａを有する。水栓操作部１６は、パネル部１２の内部空間において配管などを介して水栓ユニット１４に接続される。また、水栓操作部１６は、パネル部１２の内部空間において湯水混合部などを介して給水管及び給湯管に接続される。水栓操作部１６は、水栓ユニット１４の吐水口１４ａから吐出される水の流量及び温度を調節する。水栓ユニット１４から吐出される水は、例えば、上水（水道水）である。この例において、水栓操作部１６は、レバーハンドルである。水栓操作部１６は、これに限ることなく、回転型のハンドルなどでもよい。水栓操作部１６は、少なくとも流量を調節できればよい。水栓操作部１６は、例えば、洗面器２０に設けてもよい。
【００４３】
吐水システム１０は、吐水装置１００と、給水装置１１０と、をさらに有する。吐水装置１００は、パネル部１２の取付面１２ａに設けられる。吐水装置１００は、洗面器２０の洗面ボウル２２に向けて水を吐出する。吐水装置１００は、吐止水を操作するための操作部２０４を有し、使用者による操作部２０４の操作に応じて水を吐出する。吐水装置１００は、例えば、操作部２０４の操作に応じて所定時間（例えば、１０秒間）吐水を行い、所定時間の経過に応じて自動的に吐水を停止する。吐水装置１００は、例えば、操作部２０４の１回目の操作で吐水を行い、操作部２０４の２回目の操作で吐水を停止させてもよい。
【００４４】
吐水装置１００の吐出する水は、例えば、菌を減らす効果を有する機能水である。洗面化粧台２では、例えば、吐水装置１００から洗面ボウル２２に機能水を吐出することにより、排水口２４における菌の繁殖を抑えることができる。洗面化粧台２では、例えば、排水口２４の除菌を行い、洗面器２０を清潔に保つことができる。また、洗面化粧台２では、例えば、歯ブラシやコップなどに機能水を吐出することにより、これらの除菌を行うこともできる。
【００４５】
吐水装置１００の少なくとも一部は、水栓ユニット１４の吐水口１４ａよりも下方に配置される。吐水装置１００の吐水口２０２ａ（図２参照）は、水栓ユニット１４よりも下方に配置される。これにより、例えば、吐水装置１００から吐出された機能水が、水栓ユニット１４にかかってしまうことを抑制することができる。例えば、水栓ユニット１４に付着した機能水を、使用者が直接触れたり、水栓ユニット１４からの吐水に混入して機能水を誤飲してしまうことなどを抑制することができる。
【００４６】
給水装置１１０は、支持台３０の本体部３１内に設けられている。給水装置１１０は、電気配線及び通水部材を介して吐水装置１００に接続されている。また、給水装置１１０は、給水源及び電源に接続され、給水源から水の供給を受け、電源から電力の供給を受ける。給水装置１１０は、通水部材を介して吐水装置１００に機能水を供給するとともに、電気配線を介して吐水装置１００への電力の供給及び電気信号の送受を行う。
【００４７】
使用者が吐水装置１００に設けられた操作部２０４を操作すると、吐水装置１００から給水装置１１０に操作信号が送信される。給水装置１１０は、操作信号を受信すると、給水源から供給された水から機能水を生成し、生成した機能水を吐水装置１００に送る。これにより、使用者による操作部２０４の操作に応じて、吐水装置１００から機能水が吐出される。例えば、所定時間の経過などにより、操作部２０４の操作とは無関係に吐水装置１００から自動的に機能水を吐出させてもよい。以下では、操作部２０４の操作に応じて行う吐水を「手動吐水」、操作部２０４の操作とは無関係に行う吐水を「自動吐水」と称す。
【００４８】
吐水装置１００から吐出される水は、機能水に限ることなく、給水源から供給された上水などでもよい。給水装置１１０は、支持台３０内に限ることなく、例えば、パネル部１２の内部空間に配置してもよい。例えば、吐水装置１００に給水装置１１０の機能を組み込んでもよい。
【００４９】
図２（ａ）〜図２（ｄ）は、実施形態に係る吐水装置を表す正面図、側面図、底面図、及び斜視図である。  
図２（ａ）〜図２（ｄ）に表したように、吐水装置１００は、ケーシング２００と、吐水ユニット２０２と、操作部２０４と、表示部２０６と、光照射部２０８と、を有する。
【００５０】
ケーシング２００は、前面２００ａと、上面２００ｂと、底面２００ｃと、一対の側面２００ｄ、２００ｅと、を有する。ケーシング２００は、例えば、三角柱状である。換言すれば、ケーシング２００は、楔状である。ケーシング２００は、中空状であり、内部空間を有する。ケーシング２００は、この内部空間に吐水装置１００の各種の部材を収納する。
【００５１】
前面２００ａは、水平面に対して傾斜する。この例において、前面２００ａは、上部から下部に向うにつれて厚みを増すように傾斜している。換言すれば、前面２００ａは、下方に向かうに従って前方に突出するように下降傾斜している。前面２００ａは、例えば、水平面に対して垂直な垂直面でもよい。前面２００ａは、換言すれば、水平面に対して交差する面であればよい。前面２００ａの傾斜角度θ１は、例えば、取付面１２ａ（垂直面）に対して２０°程度（１０°以上３０°以下）である。
【００５２】
この例においては、上面２００ｂも、前方に向かうに従って下方に下がるように下降傾斜している。この例では、前面２００ａ及び上面２００ｂが、取付面１２ａと底面２００ｃとの間において、連続的に下降傾斜する。前面２００ａ及び上面２００ｂは、取付面１２ａから前方に向かうに従って連続的に下方に傾斜する。前面２００ａ及び上面２００ｂは、水平面及び上方に傾斜する傾斜面を有しない。
【００５３】
上述のように、吐水装置１００の少なくとも一部は、水栓ユニット１４の吐水口１４ａよりも下方に配置される。この際、前面２００ａ及び上面２００ｂを上記のように下降傾斜させることにより、水栓ユニット１４から吐出された水や手洗いにともなう汚水などが吐水装置１００にかかった場合にも、これらの水がケーシング２００の上に滞留してしまうことを抑制することができる。
【００５４】
ケーシング２００は、必ずしも上面２００ｂを有しなくてもよい。例えば、底面２００ｃの前端と取付面１２ａとを結ぶように傾斜した前面２００ａ（傾斜面）を形成してもよい。また、他の水栓器具などからの水掛かりの懸念が低い場所に吐水装置１００を配置する場合などには、前面２００ａ及び上面２００ｂに水平面や上昇傾斜する傾斜面などを設けてもよい。
【００５５】
底面２００ｃは、前面２００ａの下端から取付面１２ａに向かって延びる。底面２００ｃは、前面２００ａ及び上面２００ｂの下方に位置する。底面２００ｃは、前方に向かうに従って上方に上がるように上昇傾斜している。このように底面２００ｃを傾斜させることにより、例えば、吐水装置１００が取付面１２ａに取り付けられた状態において、吐水装置１００に下方から力が加わった場合に、力を前方に逃がすことができる。例えば、洗面化粧台２では、バケツなどの容器を洗面ボウル２２内から取り出す際に、容器の上端がケーシング２００の底面２００ｃに当接してしまうことが懸念される。底面２００ｃを上昇傾斜させておくことにより、このように容器などが底面２００ｃに当接した場合にも、容器の上端を前方にずらし易くすることができる。例えば、下方から力が加わった場合の吐水装置１００の破損を抑制することができる。
【００５６】
底面２００ｃの傾斜角度θ２は、例えば、水平面に対して０°よりも大きく２０°以下である。底面２００ｃは、例えば、前面２００ａと略直交する。これにより、例えば、下方から人体やその他の物体が衝突した場合であっても、力を適切に逃がすことができる。また、吐水ユニット２０２の吐水口２０２ａなどが目立ってしまうことを抑制することができる。なお、底面２００ｃは、必ずしも上昇傾斜する傾斜面に限ることなく、水平面でもよいし、下降傾斜する傾斜面でもよい。
【００５７】
各側面２００ｄ、２００ｅは、略平行である。各側面２００ｄ、２００ｅは、例えば、垂直面である。これにより、例えば、吐水装置１００の取付面１２ａへの取り付けの際に、吐水装置１００を把持し易くすることができる。例えば、吐水装置１００の取り付けの作業性を向上させることができる。側面２００ｄと側面２００ｅは、例えば、ケーシング２００を型成形する場合の抜き勾配を有してもよい。側面２００ｄと側面２００ｅとの成す角度は、例えば、５°以下である。また、各側面２００ｄ、２００ｅは、全体が略平行である必要はなく、少なくとも最も幅の広い部分が互いに略平行であればよい。
【００５８】
ケーシング２００の前後方向の長さ（取付面１２ａからの突出量）は、ケーシング２００の上下方向の長さよりも短い。ケーシング２００の前後方向の長さは、ケーシング２００の左右方向の長さよりも短い。このように、ケーシング２００（吐水装置１００）は、薄型の外観を有する。ケーシング２００の前後方向の長さは、例えば、２ｃｍ以上５ｃｍ以下である。ケーシング２００の上下方向の長さは、例えば、５ｃｍ以上１５ｃｍ以下である。ケーシング２００の前後方向の長さは、例えば、ケーシング２００の上下方向の長さの半分以下である。ケーシング２００の左右方向の長さは、例えば、２ｃｍ以上１０ｃｍ以下である。
【００５９】
このとき、ケーシング２００の前後方向の長さ（取付面１２ａからの突出量）は、前面２００ａが約２ｃｍに対して、上面２００ｂは１ｃｍ以下であり、前面２００ａが過半数を占める状態となっている。このように構成することで、より水が溜まりにくく形成することが可能であると同時に、ユニット全体が薄く見えるという効果が望める。
【００６０】
吐水ユニット２０２は、少なくともその一部が鉛直方向において前面２００ａと重なるように、ケーシング２００の底面２００ｃに設けられている。吐水ユニット２０２は、吐水口２０２ａを有する。吐水ユニット２０２を傾斜した前面２００ａの下に設けることによって、ケーシング２００全体の前後方向の長さを抑えることができる。吐水ユニット２０２は、吐水口２０２ａを底面２００ｃに露出させてケーシング２００に保持され、底面２００ｃから下方に向けて水を吐出する。吐水ユニット２０２は、給水装置１１０から供給された機能水を吐水口２０２ａから洗面ボウル２２に吐出する。吐水ユニット２０２は、例えば、洗面器２０の排水口２４に向けて機能水を吐水する。
【００６１】
図１に表したように、排水口２４の上方には、水栓ユニット１４が配置され、吐水装置１００は、排水口２４よりも左方向にずらして配置されている。このため、吐水ユニット２０２は、吐水口２０２ａの開口軸を上下方向に対して傾斜させている。吐水ユニット２０２は、排水口２４に向け、右斜め下方に機能水を吐水する。これにより、水栓ユニット１４から吐出された水が吐水装置１００にかかってしまうことを抑制しつつ、機能水を適切に排水口２４に向けて吐出することができる。吐水ユニット２０２から吐出される水の向きは、上記に限ることなく、任意の方向でよい。
【００６２】
吐水ユニット２０２は、例えば、機能水をミスト状にして洗面ボウル２２に噴霧する。吐水ユニット２０２の吐水口２０２ａは、例えば、ミストノズルである。吐水ユニット２０２から吐出されるミスト状の機能水の外径（広がりの幅）は、吐水ユニット２０２の吐水口２０２ａの開口径よりも大きい。吐水ユニット２０２は、例えば、円錐状に機能水を噴霧する。これにより、例えば、洗面ボウル２２の広範囲に機能水を付着させることができ、洗面器２０をより適切に除菌することができる。
【００６３】
吐水ユニット２０２から吐出されるミスト状の機能水の粒子径は分布を持っており、サブミクロンオーダーのものから、２０００マイクロメートルを超えるものまで存在するが、その平均粒子径は、例えば約２００マイクロメートル（μｍ）以上１５００μｍ以下程度である。これにより、例えば、必要な洗浄性能を確保することができ、かつ機能水の不要な飛散を抑制することができる。なお、ここでいう平均粒子径はＨｅ−Ｎｅレーザを利用したフランホーヘル解析法で得られる粒子径分布に基づいたザウター平均値（総体積／総表面積）であり、直径相当のものを言う。吐水ユニット２０２の吐出する水は、ミスト状に限ることなく、水流状やシャワー状などでもよい。
【００６４】
操作部２０４は、ケーシング２００の前面２００ａに設けられている。これにより、操作部２０４が前方を向き、使用者に操作部２０４を操作し易くさせることができる。また、前面２００ａは、前述のように下降傾斜している。このため、操作部２０４は、前面２００ａの傾斜角に応じて僅かに上方を向く。吐水装置１００は、立った状態の成人の使用者の腰から胸の高さ付近に配置される。床面（支持台３０の下端）から吐水装置１００の下端までの高さは、例えば、７０ｃｍ以上１５０ｃｍ以下である。従って、上記のように操作部２０４を上向きに取り付けることにより、操作部２０４を使用者により操作し易くさせることができる。操作部２０４は、前面２００ａに限ることなく、例えば、下降傾斜した上面２００ｂに設けてもよい。
【００６５】
この例において、操作部２０４は、使用者が押圧操作する押しボタンである。また、この例において、操作部２０４は、平面状である。これにより、操作部２０４の部分に水が溜まってしまうことを抑制することができる。なお、「平面状」とは、例えば、操作していない状態（力が加わっていない状態）における前面２００ａからの高さが２ｍｍ以下の状態である。操作部２０４は、押しボタンに限ることなく、スライド式の操作部やレバー状の操作部などでもよい。操作部２０４の形状及び操作態様は、使用者が操作可能な任意の形状及び操作態様でよい。
【００６６】
表示部２０６は、ケーシング２００の前面２００ａに設けられている。この例において、表示部２０６は、操作部２０４内に設けられている。表示部２０６は、操作部２０４とは別に前面２００ａに設けてもよい。換言すれば、表示部２０６は、操作部２０４と並べて前面２００ａに設けてもよい。表示部２０６は、前面２００ａに限ることなく、上面２００ｂなどに設けてもよい。
【００６７】
表示部２０６は、使用者に対して吐水装置１００の状態の表示を行う。表示部２０６は、例えば、光の点灯・消灯により、自動吐水機能のオン・オフの状態を表示する。表示部２０６は、例えば、自動吐水機能がオンに設定されている場合に点灯し、自動吐水機能がオフに設定されている場合に消灯することにより、自動吐水機能のオン・オフを使用者に表示する。
【００６８】
自動吐水機能のオン・オフは、例えば、操作部２０４の操作によって切り替えられる。例えば、自動吐水機能がオフに設定されている状態で操作部２０４を長押しする（所定時間押し続ける）ことにより、オンに設定される。そして、自動吐水機能がオンに設定されている状態で操作部２０４を長押しすることにより、オフに設定される。
【００６９】
表示部２０６による使用者への表示は、自動吐水機能のオン・オフに限ることなく、使用者への表示が必要な任意の情報でよい。また、表示部２０６の表示の態様は、光の点灯・消灯に限ることなく、使用者への表示が可能な任意の態様でよい。例えば、色や文字を変化させることによって表示を行ってもよい。表示部２０６には、例えば、ディスプレイ装置などを用いてもよい。
【００７０】
光照射部２０８は、吐水ユニット２０２と並べてケーシング２００の底面２００ｃに設けられている。光照射部２０８は、吐水ユニット２０２から機能水を吐水する際に点灯することにより、吐水が行われていることを使用者に報知する。光照射部２０８は、例えば、排水口２４を照らす。より詳しくは、洗面器２０のうちの吐水ユニット２０２から吐出された機能水が噴霧されるエリアを照らす。
【００７１】
また、光照射部２０８は、例えば、自動吐水機能を開始する直前に点滅することにより、自動吐水機能が開始されることを使用者に報知する。使用者への報知方法としては、点滅以外に点灯するものや明滅するものであってもよい。吐水が行われているか否かの報知、及び自動吐水開始の報知は、例えば、表示部２０６で行ってもよい。吐水が行われているか否かの報知、及び自動吐水開始の報知は、光の照射に限ることなく、例えば、音声などで行ってもよい。これらの報知は、報知が可能な任意の態様でよい。
【００７２】
図３は、実施形態に係る吐水装置を表す分解斜視図である。  
図４は、実施形態に係る吐水装置を表す断面図である。  
図５は、実施形態に係る吐水装置の一部を表す部分断面図である。  
図４は、図２（ａ）のＡ１−Ａ２線断面を表す。  
図５は、図２（ａ）のＢ１−Ｂ２線断面を表す。  
図３〜図５に表したように、吐水装置１００は、電子ユニット２１０と、光照射ユニット２１２と、連結ユニット２１４と、シール部材２１６と、をさらに有する。また、ケーシング２００は、ベース２２０と、カバー２２２と、表面シート２２４と、を有する。
【００７３】
ベース２２０は、略長方形状の板状部２２０ａと、板状部２２０ａから後方に向かって延びる筒状部２２０ｂと、を有する。板状部２２０ａは、貫通孔状の開口部２２０ｃを有する。すなわち、ケーシング２００は、後方に開口する開口部２２０ｃを有する。筒状部２２０ｂは、開口部２２０ｃを囲む。筒状部２２０ｂは、例えば、略円筒状である。筒状部２２０ｂは、例えば、開口部２２０ｃの全周を囲む。筒状部２２０ｂは、必ずしも開口部２２０ｃの全周を囲まなくてもよい。筒状部２２０ｂは、例えば、Ｃ字状でもよい。
【００７４】
カバー２２２は、後方に開口する開口箱状である。カバー２２２は、ベース２２０の前方を覆い、ベース２２０との間に内部空間２００ｓを形成する。ケーシング２００は、この内部空間２００ｓ内に電子ユニット２１０、光照射ユニット２１２、及び連結ユニット２１４などの各部を収納する。開口部２２０ｃは、この内部空間２００ｓの一部を外部に露呈させる。
【００７５】
カバー２２２は、例えば、ベース２２０の板状部２２０ａの背面側からネジ止めすることによってベース２２０に取り付けられる。カバー２２２の取付方法は、これに限ることなく、ベース２２０に取り付け可能な任意の方法でよい。なお、カバー２２２は、ベース２２０に対して着脱可能であることが好ましい。
【００７６】
図４に表したように、パネル部１２の取付パネル１２ｆは、貫通孔状の取付穴１２ｂを有する。取付穴１２ｂは、例えば、吐水装置１００の取付パネル１２ｆへの取り付けに用いられる。ケーシング２００は、取付パネル１２ｆに取り付けられた状態において、取付穴１２ｂに開口部２２０ｃを対向させる。これにより、ケーシング２００は、内部空間２００ｓを取付パネル１２ｆの裏側の空間と連通させる。換言すれば、ケーシング２００は、内部空間２００ｓを開口箱状のパネル部１２の内部空間と連通させる。
【００７７】
また、ケーシング２００は、取付パネル１２ｆに取り付けられた状態において、筒状部２２０ｂの少なくとも一部を取付穴１２ｂに挿通する。また、ケーシング２００の外形形状は、取付穴１２ｂの外形形状よりも大きい。ケーシング２００は、取付パネル１２ｆに取り付けられた状態において、取付穴１２ｂを塞ぎ、取付穴１２ｂを介してパネル部１２内に水などが浸入してしまうことを抑制する（図１参照）。
【００７８】
カバー２２２は、カバー本体２２２ａと、カバー本体２２２ａの前面に設けられた可動部２２２ｂと、を有する。可動部２２２ｂは、カバー本体２２２ａの前面の略中央に設けられている。可動部２２２ｂは、前後方向に移動可能にカバー本体２２２ａに取り付けられている。可動部２２２ｂは、例えば、接続部を介してカバー本体２２２ａに接続され、接続部の弾性変形により、前後方向に移動する。
【００７９】
表面シート２２４は、例えば、樹脂シートなどの可撓性を有するシート体である。表面シート２２４は、シート本体２２４ａと、凸部２２４ｂと、光透過窓２２４ｃと、を有する。シート本体２２４ａは、略長方形状である。シート本体２２４ａの形状は、カバー本体２２２ａの前面の形状と実質的に同じである。シート本体２２４ａは、カバー本体２２２ａの前面に貼り付けられる。
【００８０】
凸部２２４ｂは、シート本体２２４ａよりも僅かに前方に膨らんだ部分である。凸部２２４ｂは、シート本体２２４ａの略中央に設けられている。凸部２２４ｂは、シート本体２２４ａをカバー本体２２２ａに貼り付けた状態において、可動部２２２ｂと対向する。凸部２２４ｂは、シート本体２２４ａと連続的に形成されている。換言すれば、凸部２２４ｂは、シート本体２２４ａと一体化している。これにより、表面シート２２４は、カバー２２２のカバー本体２２２ａと可動部２２２ｂとの間に空く隙間を覆う。表面シート２２４は、カバー２２２の隙間から水や塵埃などがケーシング２００の内部空間２００ｓに入り込んでしまうことを抑制する。
【００８１】
この例において、操作部２０４は、可動部２２２ｂと凸部２２４ｂとで形成される。使用者が表面シート２２４の凸部２２４ｂの部分を押圧すると、凸部２２４ｂが撓み、接続部が弾性変形して可動部２２２ｂが後方に移動する。そして、使用者が押圧操作を解除すると、接続部の弾性によって可動部２２２ｂが前方の初期の位置に戻り、凸部２２４ｂの撓みも解消される。このように、可動部２２２ｂと凸部２２４ｂとによって使用者の押圧操作が可能になり、可動部２２２ｂと凸部２２４ｂとで平面状の操作部２０４が形成される。
【００８２】
光透過窓２２４ｃは、可視光に対して光透過性を有する。光透過窓２２４ｃは、表示部２０６の一部を形成する。表面シート２２４において、シート本体２２４ａ及び凸部２２４ｂの光透過率は、光透過窓２２４ｃの光透過率よりも低い。シート本体２２４ａ及び凸部２２４ｂは、例えば、色付きのシートであり、可視光に対して実質的に光透過性を有しない。これにより、表面シート２２４は、可動部２２２ｂや、カバー本体２２２ａと可動部２２２ｂとの間の隙間を覆い隠す。これにより、例えば、吐水装置１００の美観を向上させることができる。
【００８３】
電子ユニット２１０は、基板２３０と、検出器２３２と、発光素子２３４と、ケース２３６と、電気配線２３８と、を有する。基板２３０は、実装面２３０ａを有する。電子部品である検出器２３２及び発光素子２３４は、実装面２３０ａの上に実装されている。ケース２３６は、基板２３０と検出器２３２と発光素子２３４とを保持する。
【００８４】
電子ユニット２１０は、少なくともその一部が鉛直方向において傾斜した前面２００ａ及び吐水ユニット２０２と重なるように、ケーシング２００の内部空間２００ｓ内に設けられる。電子ユニット２１０は、例えば、ベース２２０に保持される。ベース２２０は、実装面２３０ａを水平面に対して傾斜させて保持する。すなわち、ケーシング２００は、実装面２３０ａを水平面に対して傾斜させた状態で電子ユニット２１０を内部空間２００ｓ内に保持する。ベース２２０は、実装面２３０ａを下方に向かうに従って前方に突出するように下降傾斜させる。この例において、ベース２２０は、実装面２３０ａをケーシング２００の前面２００ａと略平行に保持する。電子ユニット２１０を傾斜した前面２００ａ及び吐水ユニット２０２と重なるように設けることによって、ケーシング２００全体の前後方向の長さを抑えることができる。
【００８５】
このように、電子ユニット２１０の実装面２３０ａは、水平面に対して傾斜する。これにより、例えば、実装面２３０ａの上に水滴などが付着した場合においても、実装面２３０ａの上に水分が滞留してしまうことを抑制することができる。実装面２３０ａの傾斜角は、ケーシング２００の前面２００ａと略平行な角度に限ることなく、水平面と交差する任意の角度でよい。
【００８６】
ベース２２０は、電子ユニット２１０をカバー２２２の可動部２２２ｂと対向させる。また、ベース２２０は、電子ユニット２１０の少なくとも一部が水平方向において開口部２２０ｃ及び取付穴１２ｂと重なるように電子ユニット２１０を保持する。
【００８７】
ベース２２０は、電子ユニット２１０の少なくとも一部が筒状部２２０ｂ内に入り込むように電子ユニット２１０を保持する。換言すれば、ベース２２０は、電子ユニット２１０の少なくとも一部を開口部２２０ｃに入り込ませる。ベース２２０は、例えば、取付パネル１２ｆに取り付けられた状態において、電子ユニット２１０の少なくとも一部を取付穴１２ｂに入り込ませる。
【００８８】
検出器２３２は、吐水ユニット２０２の吐止水を制御するための使用者の操作を検出する。この例において、検出器２３２は、使用者による操作部２０４の押圧操作を検出する。検出器２３２は、例えば、操作部２０４の操作を検出し、検出結果に応じた電気信号（操作信号）を出力する電気スイッチである。検出器２３２は、プランジャー２３２ａを有する。検出器２３２は、いわゆる押しボタン式のスイッチである。検出器２３２は、プランジャー２３２ａをカバー２２２の可動部２２２ｂと対向させる。検出器２３２は、使用者の押圧操作に応じて可動部２２２ｂが後方に移動した際に、プランジャー２３２ａが可動部２２２ｂに当接して押圧されるように配置される。検出器２３２は、可動部２２２ｂの移動にともなうプランジャー２３２ａの押圧により、使用者の押圧操作を検出する。
【００８９】
検出器２３２は、押しボタン式のスイッチに限ることなく、例えば、スライドスイッチやレバースイッチなどでもよい。検出器２３２は、操作部２０４の操作態様に応じた任意の検出器でよい。検出器２３２は、例えば、使用者のタッチ操作を検出するタッチパネルなどでもよい。また、検出器２３２は、静電容量センサなど、使用者の操作を非接触で検出するセンサなどでもよい。検出器２３２の検出する使用者の操作は、接触をともなう操作に限ることなく、例えば、手などをケーシング２００に近接させる近接操作などでもよい。
【００９０】
発光素子２３４は、表面シート２２４の光透過窓２２４ｃと対向する。発光素子２３４は、光透過窓２２４ｃを介してケーシング２００の外部に光を照射する。これにより、発光素子２３４の点灯・消灯により、使用者に対して表示を行うことができる。すなわち、この例において、表示部２０６は、発光素子２３４と光透過窓２２４ｃとで構成される。発光素子２３４は、ＬＥＤ（Light Emitting Diode）、ＬＤ（Laser Diode）、ＯＬＥＤ（Organic Light Emitting Diode）など、光を照射可能な任意の素子でよい。
【００９１】
電気配線２３８は、基板２３０と電気的に接続されている。また、電気配線２３８は、給水装置１１０と電気的に接続されている。すなわち、電気配線２３８は、基板２３０と給水装置１１０とを電気的に接続する。電気配線２３８は、例えば、コネクタなどを介して基板２３０及び給水装置１１０に対して着脱可能に接続してもよい。
【００９２】
電気配線２３８は、例えば、グランド線２３８ｇと、検出器２３２の信号線２３８ｓと、発光素子２３４の電源線２３８ｐと、の３本の配線を有する（図８参照）。検出器２３２及び発光素子２３４は、基板２３０と電気配線２３８とを介して給水装置１１０と電気的に接続される。グランド線２３８ｇは、検出器２３２及び発光素子２３４に共通に用いられる。検出器２３２は、使用者の操作を検出すると、信号線２３８ｓを介して操作信号を給水装置１１０に送信する。発光素子２３４は、電源線２３８ｐを介する給水装置１１０からの電力供給に応じて点灯し、給水装置１１０の電力供給の停止に応じて消灯する。
【００９３】
電子ユニット２１０は、ケーシング２００の内部空間２００ｓにおいて電気配線２３８に接続される。より詳しくは、電子ユニット２１０の基板２３０が、内部空間２００ｓにおいて電気配線２３８に接続される。電気配線２３８は、開口部２２０ｃに挿通され、開口部２２０ｃを介して内部空間２００ｓに入り込む。また、電気配線２３８は、取付穴１２ｂを介してパネル部１２の内部空間に入り込み、パネル部１２の内部空間を介して給水装置１１０に接続される。このように、開口部２２０ｃ及び取付穴１２ｂは、ケーシング２００の取り付けに用いられるとともに、電気配線２３８を挿通するための開口としても用いられる。
【００９４】
光照射ユニット２１２は、略筒状のケース２１２ａと、ケース２１２ａ内に設けられた発光素子２１２ｓ（図８参照）と、を有する。光照射ユニット２１２は、ケース２１２ａの開口端を底面２００ｃに露出させた状態でケーシング２００の内部空間２００ｓ内に保持される。光照射ユニット２１２は、発光素子２１２ｓの光をケース２１２ａの開口端から放出し、底面２００ｃから下方に向けて光を照射する。すなわち、この例においては、光照射ユニット２１２によって光照射部２０８が構成される。
【００９５】
光照射ユニット２１２は、電気配線２１２ｃを介して給水装置１１０に接続されている。光照射ユニット２１２は、給水装置１１０からの電力供給に応じて光を照射し、給水装置１１０の電力供給の停止に応じて光の照射を停止する。光照射ユニット２１２に接続された電気配線２１２ｃは、例えば、電気配線２３８と同様に、開口部２２０ｃを介して内部空間２００ｓに入り込む。
【００９６】
連結ユニット２１４は、ケーシング２００の内部空間２００ｓ内に設けられる。連結ユニット２１４は、筒状である。連結ユニット２１４は、吐水ユニット２０２に接続される第１接続部２１４ａと、通水部材２４０に接続される第２接続部２１４ｂと、を有する。通水部材２４０は、給水装置１１０に接続される。このように、吐水ユニット２０２は、連結ユニット２１４及び通水部材２４０を介して、給水装置１１０に接続される。給水装置１１０は、連結ユニット２１４及び通水部材２４０を介して、吐水ユニット２０２に機能水を供給する。これにより、給水装置１１０から供給された機能水が、吐水ユニット２０２の吐水口２０２ａから吐出される。通水部材２４０は、可撓性を有する。通水部材２４０は、例えば、ゴムチューブである。
【００９７】
連結ユニット２１４の第２接続部２１４ｂは、例えば、略円筒状である。第２接続部２１４ｂの外径は、断面略円形のチューブである通水部材２４０の内径と実質的に同じである。連結ユニット２１４は、例えば、第２接続部２１４ｂを通水部材２４０の一端に挿し込むことにより、通水部材２４０と接続される。また、通水部材２４０の一端には、例えば、クリップ２４２が取り付けられる。これにより、連結ユニット２１４と通水部材２４０との接続箇所からの水漏れや、通水部材２４０の抜けなどをより適切に抑制することができる。
【００９８】
ケーシング２００の筒状部２２０ｂの後端下方には、上方に向かって突出する突出部２２０ｐが設けられている。突出部２２０ｐの上端は、例えば、開口部２２０ｃの下端よりも上に位置する。突出部２２０ｐは、例えば、連結ユニット２１４と通水部材２４０との接続箇所から水漏れが発生した場合に、漏れ出た水がパネル部１２側に流れ落ちてしまうことを抑制する。突出部２２０ｐは、例えば、漏れ出た水がケーシング２００側に流れるようにする。ケーシング２００側に流れた水は、例えば、光照射ユニット２１２を露呈させる開口などを介して、洗面器２０に滴下する。これにより、水漏れが発生した場合にも、漏れ出た水を洗面器２０に流し、パネル部１２内や支持台３０内などに垂れ落ちてしまうことを抑制することができる。
【００９９】
吐水ユニット２０２は、先端に吐水口２０２ａが設けられた筒状の本体部２０２ｈを有する。本体部２０２ｈは、例えば、略円筒状である。連結ユニット２１４の第１接続部２１４ａは、例えば、略円筒状である。第１接続部２１４ａの内径は、吐水ユニット２０２の本体部２０２ｈの後端付近の外径と実質的に同じである。
【０１００】
吐水ユニット２０２は、本体部２０２ｈの先端から外側に広がるフランジ部２０２ｆを有する。また、本体部２０２ｈの後端付近の外面には、雄ネジ２０２ｎが設けられている。連結ユニット２１４の第１接続部２１４ａの内面には、吐水ユニット２０２の雄ネジ２０２ｎに対応した雌ネジ２１４ｎが設けられている。ケーシング２００の底面２００ｃには、吐水ユニット２０２の本体部２０２ｈの外径に対応した略円形の開口が設けられている。
【０１０１】
吐水ユニット２０２は、ケーシング２００の外側から本体部２０２ｈの後端を内部空間２００ｓ内に挿し込み、雄ネジ２０２ｎを雌ネジ２１４ｎに螺合させることにより、連結ユニット２１４に接続される。このように、吐水ユニット２０２は、ケーシング２００の外側から取り付けることができる。これにより、例えば、吐水口２０２ａの目詰まりなどが発生した場合に、吐水ユニット２０２のみを容易に交換することができる。
【０１０２】
また、吐水ユニット２０２は、フランジ部２０２ｆの後端面をケーシング２００に接触させる。そして、吐水ユニット２０２は、雄ネジ２０２ｎと雌ネジ２１４ｎとの螺合により、連結ユニット２１４とともにケーシング２００の一部を共締めする。これにより、吐水ユニット２０２及び連結ユニット２１４が、ケーシング２００に保持される。
【０１０３】
また、吐水ユニット２０２は、フランジ部２０２ｆの後端面をケーシング２００に接触させることにより、本体部２０２ｈとケーシング２００との間をシールする。これにより、吐水ユニット２０２をケーシング２００の外側から取り付ける場合においても、ケーシング２００と吐水ユニット２０２との間の隙間などからケーシング２００内に水などが浸入してしまうことを抑制することができる。
【０１０４】
吐水ユニット２０２の本体部２０２ｈは、凹部２０２ｂを有する。凹部２０２ｂは、本体部２０２ｈの外面において、軸方向の中央付近に配置されている。凹部２０２ｂには、シール部材２４４が嵌め込まれる。シール部材２４４は、いわゆるＯリングである。シール部材２４４は、弾性を有し、吐水ユニット２０２が連結ユニット２１４に接続された状態において、吐水ユニット２０２と連結ユニット２１４との間の隙間を埋める。これにより、例えば、吐水ユニット２０２と連結ユニット２１４との間における水漏れの発生をより適切に抑制することができる。
【０１０５】
吐水ユニット２０２は、ケーシング２００の内部空間２００ｓにおいて、連結ユニット２１４を介して通水部材２４０に接続される。吐水ユニット２０２は、通水部材２４０を介して供給される水を吐水口２０２ａから吐出する。通水部材２４０は、電気配線２３８と同様に、開口部２２０ｃに挿通され、開口部２２０ｃを介して内部空間２００ｓに入り込む。また、通水部材２４０は、取付穴１２ｂを介してパネル部１２の内部空間に入り込み、パネル部１２の内部空間を介して給水装置１１０に接続される。このように、開口部２２０ｃ及び取付穴１２ｂは、通水部材２４０を挿通するための開口としても用いられる。
【０１０６】
シール部材２１６は、ケーシング２００と取付面１２ａとの間をシールする。シール部材２１６は、弾性を有し、ケーシング２００が取付面１２ａに取り付けられた状態において、ケーシング２００と取付面１２ａとに挟まれて弾性変形することにより、ケーシング２００と取付面１２ａとの間に空く隙間を埋める。シール部材２１６は、例えば、ケーシング２００の後端部の外縁に沿う環状である。シール部材２１６は、例えば、ケーシング２００の開口部２２０ｃを囲む。シール部材２１６は、例えば、ケーシング２００が取付面１２ａに取り付けられた状態において、取付穴１２ｂを囲む。これにより、シール部材２１６は、開口部２２０ｃからケーシング２００内への水などの浸入、及び取付穴１２ｂからパネル部１２内への水などの浸入を抑制する。
【０１０７】
図６は、実施形態に係るパネル部の一部を表す斜視図である。  
図６は、吐水装置１００を取り外した状態におけるパネル部１２の取付穴１２ｂの部分を表している。  
図６に表したように、パネル部１２の取付パネル１２ｆは、吐水装置１００を取り付けるための取付部材５０を有する。取付パネル１２ｆは、貫通孔状の開口部１２ｃを有する。取付部材５０は、貫通孔状の開口部５０ａを有する。取付部材５０の開口部５０ａは、取付パネル１２ｆの開口部１２ｃよりも僅かに小さい。取付部材５０は、取付パネル１２ｆの開口部１２ｃの開口端を覆い、かつ開口部５０ａによって開口部１２ｃの一部を露呈させるように、取付面１２ａに取り付けられる。
【０１０８】
これにより、この例においては、各開口部１２ｃ、５０ａによって、取付穴１２ｂが形成される。この例において、取付穴１２ｂの外形形状は、開口部５０ａの外形形状と実質的に同じである。取付部材５０は、例えば、ネジ止めによって取付面１２ａに取り付けられる。取付部材５０の取り付け方法は、ネジ止めに限ることなく、取り付け可能な任意の方法でよい。取付部材５０は、例えば、取付面１２ａの反対側の面に取り付けてもよい。
【０１０９】
取付部材５０は、一対の被係止部５１、５２を有する。この例において、被係止部５１、５２は、開口部５０ａの外縁部から開口部５０ａの中心部に向かって延びる爪状である。被係止部５１、５２は、開口部５０ａの中心部を挟んで略対称に配置されている。被係止部５１、５２の数は、２つに限ることなく、１つでもよいし、３つ以上でもよい。爪状の被係止部を３つ以上設ける場合、各被係止部は、開口部５０ａの外縁に略等間隔に配置されることが好ましい。
【０１１０】
取付部材５０は、ネジ止め部５４をさらに有する。ネジ止め部５４は、取付部材５０の下端に設けられている。ネジ止め部５４は、取付面１２ａから突出する方向（前方）に向かって延びる。ネジ止め部５４の少なくとも一部は、吐水装置１００が取付パネル１２ｆに取り付けられた際に、吐水装置１００のケーシング２００内に入り込む。ネジ止め部５４の先端部には、内面に雌ネジが形成されたネジ穴５４ａが設けられている。ネジ穴５４ａの中心軸は、例えば、ケーシング２００内に入り込んだ際に、ケーシング２００の底面２００ｃと略直交する。
【０１１１】
図７（ａ）〜図７（ｃ）は、実施形態に係る吐水装置の取り付けの一例を表す斜視図である。  
図７（ａ）〜図７（ｃ）では、吐水装置１００及び取付部材５０を後方から見た状態を表している。また、図７（ａ）〜図７（ｃ）では、取付パネル１２ｆなどの図示を便宜的に省略している。  
図７（ａ）〜図７（ｃ）に表したように、吐水装置１００のケーシング２００は、一対の係止部２５１、２５２を有する。係止部２５１、２５２は、取付部材５０の被係止部５１、５２に対応して設けられ、被係止部５１、５２に係止される。
【０１１２】
係止部２５１、２５２は、ケーシング２００の筒状部２２０ｂの外周面に設けられている。係止部２５１は、筒状部２２０ｂを取付部材５０の開口部５０ａ（取付穴１２ｂ）に挿通した時に、被係止部５１と対向する位置に配置される。同様に、係止部２５２は、筒状部２２０ｂを取付部材５０の開口部５０ａに挿通した時に、被係止部５２と対向する位置に配置される。
【０１１３】
係止部２５１は、第１溝部２５１ａと、第２溝部２５１ｂと、を有する。第１溝部２５１ａは、筒状部２２０ｂの外周面の後端から前方に向かって延びる。換言すれば、第１溝部２５１ａは、筒状部２２０ｂの外周面の後端から筒状部２２０ｂの中心軸に沿って延びる。第１溝部２５１ａを前後方向に見た形状（筒状部２２０ｂの中心軸と平行な方向に見た形状）は、被係止部５１を前後方向に見た形状と実質的に同じである。これにより、第１溝部２５１ａは、前後方向において被係止部５１を挿通可能とする。換言すれば、第１溝部２５１ａは、被係止部５１を前後方向にガイドする。
【０１１４】
第２溝部２５１ｂは、第１溝部２５１ａの前端部から周方向（筒状部２２０ｂの中心軸周りの方向）に延びる。第２溝部２５１ｂの前後方向の幅は、被係止部５１の前後方向の厚さ（板厚）と実質的に同じである。これにより、第２溝部２５１ｂは、周方向において被係止部５１を挿通可能とする。換言すれば、第２溝部２５１ｂは、被係止部５１を周方向にガイドする。
【０１１５】
係止部２５２は、係止部２５１と同様に、第１溝部２５２ａと、第２溝部２５２ｂと、を有する（図２（ｂ）参照）。係止部２５２の形状は、係止部２５１の形状と回転対称な実質的に同じ形状であるから、詳細な説明は省略する。
【０１１６】
吐水装置１００を取付パネル１２ｆに取り付ける場合には、図７（ａ）、図７（ｂ）に表したように、まず、ケーシング２００の筒状部２２０ｂを取付面１２ａ側から取付穴１２ｂに挿通し、取付部材５０の被係止部５１、５２を係止部２５１、２５２の第１溝部２５１ａ、２５２ａに挿通する。
【０１１７】
例えば、ケーシング２００の後端部が取付面１２ａに当接するまで、筒状部２２０ｂを取付穴１２ｂに挿通する。この際、ケーシング２００と取付面１２ａとでシール部材２１６を挟み、シール部材２１６を弾性変形させる。これにより、パネル部１２内やケーシング２００内への水の浸入などを抑制することができる。
【０１１８】
筒状部２２０ｂを取付穴１２ｂに挿通した後、図７（ｃ）に表したように、ケーシング２００を筒状部２２０ｂの中心軸周りに回転させることにより、取付部材５０の被係止部５１、５２を係止部２５１、２５２の第２溝部２５１ｂ、２５２ｂに挿通する。
【０１１９】
取付部材５０の被係止部５１、５２を第２溝部２５１ｂ、２５２ｂに挿通すると、これらの係止により、ケーシング２００の前後方向の移動が規制される。換言すれば、筒状部２２０ｂの取付穴１２ｂからの抜けが規制される。これにより、吐水装置１００が取付パネル１２ｆに取り付けられる。係止部２５１、２５２及び被係止部５１、５２は、例えば、ケーシング２００を回転させて互いに係止した状態において、ケーシング２００が正しい向きとなるように、位置及び形状が決められる。
【０１２０】
このように、吐水装置１００では、係止部２５１、２５２を被係止部５１、５２に係止させることにより、取付面１２ａ側からケーシング２００を取付パネル１２ｆに取り付けることができる。これにより、例えば、施工後においても吐水装置１００を取付面１２ａ側から取り外すことができ、吐水装置１００のメンテナンスなどをし易くすることができる。
【０１２１】
また、吐水装置１００では、各側面２００ｄ、２００ｅの最も幅の広い部分が互いに略平行である。これにより、吐水装置１００の取り付けの際などに、ケーシング２００を把持し易くすることができる。例えば、吐水装置１００の取り付けをし易くすることができる。
【０１２２】
吐水装置１００では、取付面１２ａに対して直交する回転軸（筒状部２２０ｂの中心軸）を中心に回転させ、係止部２５１、２５２を取付パネル１２ｆの被係止部５１、５２に係止させることによって取付パネル１２ｆに取り付けられる。この際、吐水装置１００では、各側面２００ｄ、２００ｅの最も幅の広い部分が、回転軸と離間した位置に設けられる。この例では、各側面２００ｄ、２００ｅの最も幅の広い部分が、回転軸よりも下方に設けられる。これにより、例えば、各側面２００ｄ、２００ｅの最も幅の広い部分を把持した状態において、ケーシング２００を回転させ易くすることができる。例えば、回転の操作に対してトルクをかけ易くすることができる。吐水装置１００を取付パネル１２ｆに対してより取り付け易くすることができる。
【０１２３】
ケーシング２００のベース２２０は、取付部材５０のネジ止め部５４を挿通するための開口部２２０ｄを有する。ネジ止め部５４は、ケーシング２００が取付パネル１２ｆに取り付けられた状態において、開口部２２０ｄを介してケーシング２００の内部空間２００ｓ内に入り込む。ネジ止め部５４は、開口部２２０ｄを介して内部空間２００ｓ内に入り込み、ネジ穴５４ａを内部空間２００ｓ内に配置する。また、ケーシング２００の底面２００ｃには、内部空間２００ｓ内に配置されたネジ穴５４ａを露呈させるための開口部２００ｇが設けられている（図２（ｃ）参照）。
【０１２４】
係止部２５１、２５２を被係止部５１、５２に係止させてケーシング２００を取付パネル１２ｆに取り付けた後、開口部２００ｇ及びネジ穴５４ａに下方からネジを挿通し、ケーシング２００と取付部材５０とをネジ止めする。これにより、ケーシング２００の回転が規制され、吐水装置１００をより適切に取付パネル１２ｆに保持することができる。例えば、吐水装置１００が取付パネル１２ｆから簡単に脱落してしまうことを抑制することができる。
【０１２５】
図８は、実施形態に係る給水装置を表すブロック図である。  
図８に表したように、給水装置１１０は、ストレーナ３００と、電磁弁３０２と、調圧弁３０４と、逆止弁３０６と、リリーフ弁３０８と、漏水検知部３１０と、機能水生成部３１２と、フィルタ３１４と、制御部３２０と、を有する。
【０１２６】
給水装置１１０は、配管３３０、ストレーナ３３２、止水栓３３４などを介して給水源ＷＳに接続される。給水装置１１０は、給水源ＷＳから水の供給を受ける。給水源ＷＳから給水装置１１０に供給される水は、例えば、上水（水道水）である。
【０１２７】
また、給水装置１１０は、電源線などを介して電力源ＰＳに接続される。給水装置１１０は、電力源ＰＳから電力の供給を受ける。電力源ＰＳは、例えば、商用電源である。給水装置１１０は、例えば、図示を省略した電源回路を有する。電源回路は、例えば、電力源ＰＳから供給された電力を制御部３２０に対応した電力に変換し、変換後の電力を制御部３２０に供給する。制御部３２０は、電力の供給に応じて動作し、給水装置１１０の各部の動作を制御する。
【０１２８】
制御部３２０は、電気配線２３８を介して電子ユニット２１０と接続され、電気配線２１２ｃを介して光照射ユニット２１２と接続される。制御部３２０は、検出器２３２から送信された操作信号を受信し、操作信号に応じて各発光素子２１２ｓ、２３４の点灯・消灯を制御する。このように、制御部３２０は、給水装置１１０の各部の動作を制御するとともに、吐水装置１００の各部の動作も制御する。
【０１２９】
ストレーナ３００は、給水源ＷＳから供給された水を濾し、不純物などが下流に流れることを抑制する。電磁弁３０２は、開閉可能な電磁バルブである。電磁弁３０２は、制御部３２０に接続され、制御部３２０からの指令に基づいて水の供給を制御する。電磁弁３０２を開状態にすることにより、電磁弁３０２よりも下流に水が流れる。
【０１３０】
調圧弁３０４は、電磁弁３０２の下流に設けられ、給水圧が高い場合に、管路内の圧力を所定の圧力範囲に調整する。逆止弁３０６は、調圧弁３０４の下流に設けられ、管路内の圧力が低下した場合などに、逆止弁３０６よりも上流側への水の逆流を抑制する。
【０１３１】
リリーフ弁３０８は、調圧弁３０４と逆止弁３０６との間に設けられている。リリーフ弁３０８は、管路内の圧力が設定値に達した場合に、管路内を流れる水の少なくとも一部を管路外に排出する。
【０１３２】
漏水検知部３１０は、リリーフ弁３０８からの水の排出を検知する。漏水検知部３１０は、制御部３２０に接続され、検知結果を制御部３２０に入力する。制御部３２０は、漏水検知部３１０によってリリーフ弁３０８からの水の排出が検知された場合、例えば、電磁弁３０２を閉じる動作など、検知に対応した所定の動作を行う。
【０１３３】
機能水生成部３１２は、逆止弁３０６の下流に設けられている。機能水生成部３１２は、逆止弁３０６を介して供給された水から機能水を生成する。機能水生成部３１２を逆止弁３０６の下流に配置することにより、例えば、生成された機能水の給水源ＷＳ側への逆流を抑制することができる。
【０１３４】
機能水生成部３１２は、例えば、電解槽を有する。電解槽の内部には、陽極板および陰極板が設けられている。機能水生成部３１２は、制御部３２０に接続され、制御部３２０から送信される信号に基づいて、電解槽の内部を流れる水道水や雑用水を電気分解する。ここで、水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。そのため、塩化物イオンを電気分解することにより次亜塩素酸が生成される。その結果、機能水生成部３１２において電気分解された水（電解水）は、次亜塩素酸を含む液（機能水）に変化する。次亜塩素酸は、例えば、消臭成分あるいは殺菌成分として機能する。次亜塩素酸を含む液は、一般細菌などを減らしたりすることができる。
【０１３５】
なお、本実施形態の機能水生成部３１２は、次亜塩素酸を含む液を生成することに限定されるわけではない。機能水生成部３１２において生成される機能水は、銀イオンや銅イオンなどの金属イオンを含む液であってもよい。あるいは、機能水生成部３１２において生成される機能水は、電解塩素やオゾンなどを含む液であってもよい。あるいは、機能水生成部３１２において生成される機能水は、酸性水やアルカリ水であってもよい。また、機能水生成部３１２は、電解槽と、陽極板と、陰極板と、を有する電解槽ユニットに限定されるわけではない。
【０１３６】
フィルタ３１４は、機能水生成部３１２の下流に設けられている。フィルタ３１４は、機能水生成部３１２から供給された機能水を濾し、機能水に含まれる不純物などが下流に流れることを抑制する。
【０１３７】
給水装置１１０は、前述のように、通水部材２４０に接続される。フィルタ３１４を透過した機能水は、通水部材２４０や連結ユニット２１４などを介して吐水装置１００の吐水ユニット２０２に供給される。
【０１３８】
制御部３２０は、例えば、検出器２３２からの制御信号の入力に応じて電磁弁３０２を開き、機能水生成部３１２に水を供給するとともに、機能水生成部３１２を動作させることにより、機能水生成部３１２に機能水を生成させる。これにより、使用者による操作部２０４の操作に応じて給水装置１１０から吐水装置１００に機能水が供給され、吐水ユニット２０２の吐水口２０２ａから機能水が吐出される。
【０１３９】
また、制御部３２０は、例えば、検出器２３２からの制御信号の入力に応じて光照射ユニット２１２の発光素子２１２ｓに電力を供給することにより、発光素子２１２ｓを点灯させる。これにより、吐水ユニット２０２からの機能水の吐水とともに光照射部２０８から光が照射され、吐水が行われていることを使用者に報知することができる。
【０１４０】
制御部３２０は、例えば、自動吐水機能がオンに設定されている場合に、電子ユニット２１０の発光素子２３４に電力を供給することにより、発光素子２３４を点灯させる。このように、制御部３２０は、吐水ユニット２０２からの機能水の吐水を制御するとともに、表示部２０６による使用者への表示や、光照射部２０８からの光の照射なども制御する。
【０１４１】
このように、本実施形態に係る吐水システム１０及び吐水装置１００では、上部から下部に向かうにつれて厚みを増すように吐水装置１００（ケーシング２００）の前面２００ａを傾斜させているので、吐水装置１００の上部を薄く形成することができる。これにより、水栓ユニット１４からの吐水や手洗いなどによる汚水を、吐水装置１００の上部にかかり難くすることができる。また、吐水装置１００の上部に汚水などがかかったとしても、傾斜した前面２００ａから下方に流し易くすることができる。従って、吐水装置１００の上に水が溜まり、吐水装置１００に汚れが発生してしまうことを抑制することができる。また、吐水装置１００を水栓ユニット１４よりも下方に配置しているので、機能水が水栓ユニット１４にかかってしまうことを抑制することもできる。
【０１４２】
また、平面状の操作部２０４を傾斜した前面２００ａに設けることにより、吐水装置１００の使い勝手を向上させることができるとともに、操作部２０４の部分に水が溜まり、汚れが発生してしまうことを抑制することができる。また、操作部２０４を前方から視認し易くさせることができる。特に、洗面化粧台２で利用する場合においては、歯ブラシなどの硬いもので操作される恐れが高いが、このような場合にも、力を逃がし易くし、操作部２０４を破損し難くすることができる。
【０１４３】
また、電気スイッチである検出器２３２によって操作部２０４の操作を検出することにより、例えば、吐水装置１００からの機能水の吐水及び止水を機械的な機構で切り替える場合に比べて、吐水装置１００をコンパクトにすることができる。また、吐水装置１００とは別に水栓ユニット１４を備えており、吐水装置１００は、機能水の吐止水に専念できる。従って、検出器２３２には、吐止水を制御するための単一機能のスイッチを用いることができる。
【０１４４】
また、表示部２０６を前面２００ａに設けることにより、吐水装置１００の状態を分かりやすくし、吐水装置１００の使い勝手を向上させることができる。また、例えば、表示部２０６に発光素子２３４を用いた場合にも、発光素子２３４の光が背の低い子供などの眼に直接入射してしまうことを抑制し、安全性を高めることができる。
【０１４５】
また、ケーシング２００の底面２００ｃを傾斜させることにより、前面２００ａの鉛直方向の長さを短く抑えることが可能となる。前面２００ａのサイズが小さくなることで、デザイン的にコンパクトになる。汚水の付着確率がさらに小さくなる。また、洗面時に頭が当たったり、水を溜めたバケツなどが当たり、吐水装置１００に下方から力が加わった場合にも、力を逃がし易くすることができる。
【０１４６】
また、底面２００ｃの傾斜角度を水平面に対して０°よりも大きく２０°以下に設定することにより、底面２００ｃの傾斜がきつくなり、前面２００ａが小さくなり過ぎることを抑制することができる。例えば、底面２００ｃに吐水口２０２ａを設けた場合に、吐水口２０２ａが前方に露出してしまうことを抑制することができる。洗面化粧台２などに適用した場合であっても、洗顔時に頭をぶつけたり、バケツ使用時に下方から衝突してしまうなどの危険を抑制できる。
【０１４７】
また、一対の側面２００ｄ、２００ｅの最も幅の広い部分を互いに略平行とすることにより、例えば、吐水装置１００の施工時などに、吐水装置１００を持ち易くすることができる。
【０１４８】
また、ケーシング２００の上面２００ｂを、前方に向かうに従って下方に下がるように傾斜させることにより、上面２００ｂに水が溜まることを抑制することができる。吐水装置１００に汚れが発生することをより抑制することができる。
【０１４９】
また、上面２００ｂの上端から前面２００ａの下端に向かって連続的に下方に下がるように上面２００ｂ及び前面２００ａを形成することにより、上面２００ｂ及び前面２００ａに水が溜まることをより抑制することができる。吐水装置１００に汚れが発生することをより抑制することができる。
【０１５０】
図９は、実施形態に係る吐水装置の第１変形例を表す斜視図である。  
図９に表したように、吐水装置１０２のケーシング２００は、１つの係止部２５５を有する。なお、上記実施形態と機能・構成上実質的に同じものについては、同符号を付し、詳細な説明は省略する。
【０１５１】
係止部２５５は、ケーシング２００（カバー２２２）の後端側の上部に設けられている。この例において、係止部２５５は、後方に開口する穴状（溝状）である。また、この例において、取付部材５０は、吐水装置１０２の係止部２５５に対応する被係止部５５を有する。被係止部５５は、取付部材５０の上部に設けられている。被係止部５５及び係止部２５５は、筒状部２２０ｂを取付穴１２ｂに挿通した際に、互いに対向する。この例において、被係止部５５は、前方に向かって延びるとともに、上方に向かって延び、上下方向及び前後方向での係合を可能にするフック状である。係止部２５５は、換言すれば、フック状の被係止部５５を挿し込み可能な挿し込み穴である。
【０１５２】
図１０（ａ）及び図１０（ｂ）は、実施形態に係る吐水装置の第１変形例を表す断面図である。  
図１０（ａ）に表したように、吐水装置１０２を取付パネル１２ｆに取り付ける場合には、まず、上端を奥側に倒すように左右方向を軸にケーシング２００を傾けた状態で、取付部材５０の被係止部５５を係止部２５５に挿し込むことにより、係止部２５５を被係止部５５に係止させる。
【０１５３】
係止部２５５を被係止部５５に形成させた後、図１０（ｂ）に表したように、左右方向を軸にケーシング２００を回転させ、筒状部２２０ｂを取付穴１２ｂに挿通する。これにより、吐水装置１０２が取付パネル１２ｆに取り付けられる。
【０１５４】
係止部２５５を被係止部５５に係止させてケーシング２００を取付パネル１２ｆに取り付けた後、開口部２００ｇ及びネジ穴５４ａに下方からネジを挿通し、ケーシング２００と取付部材５０とをネジ止めする。これにより、ケーシング２００の回転が規制され、吐水装置１０２をより適切に取付パネル１２ｆに保持することができる。
【０１５５】
このように、ケーシング２００は、フック状の被係止部５５にケーシング２００の係止部２５５を引っ掛けることにより、取付面１２ａ側から取付パネル１２ｆに取り付けてもよい。上記とは反対に、係止部２５５をフック状とし、被係止部５５を挿し込み穴状としてもよい。
【０１５６】
また、吐水装置１０２では、取付面１２ａと平行な回転軸を中心に回転させることにより、ケーシング２００が取付パネル１２ｆに取り付けられる。この例において、回転軸は、例えば、係止部２５５と被係止部５５との係止部分に設定される。この例において、回転軸は、左右方向に延びる軸である。
【０１５７】
この際、吐水装置１０２では、各側面２００ｄ、２００ｅの最も幅の広い部分が、回転軸と離間した位置に設けられる。この例では、各側面２００ｄ、２００ｅの最も幅の広い部分が、回転軸よりも下方に設けられる。これにより、例えば、各側面２００ｄ、２００ｅの最も幅の広い部分を把持した状態において、ケーシング２００を回転させ易くすることができる。例えば、回転の操作に対してトルクをかけ易くすることができる。吐水装置１０２を取付パネル１２ｆに対してより取り付け易くすることができる。
【０１５８】
なお、取付面１２ａと平行な回転軸の延びる方向は、左右方向に限ることなく、上下方向などでもよい。取付面１２ａと平行な回転軸は、ケーシング２００を取り付け可能で、かつ取付面１２ａと平行な任意の軸でよい。
【０１５９】
図１１は、実施形態に係る吐水装置の第２変形例を表す斜視図である。  
図１１に表したように、吐水装置１０４のケーシング２００は、１つの係止部２５６を有する。係止部２５６は、ケーシング２００（カバー２２２）の後端側の上部に設けられている。係止部２５６は、左右方向に延びる第１溝部２５６ａと、第１溝部２５６ａの一端に設けられた第２溝部２５６ｂと、を有する。第２溝部２５６ｂの上下方向の幅は、第１溝部２５６ａの上下方向の幅よりも広い。
【０１６０】
取付部材５０は、吐水装置１０４の係止部２５６に対応する被係止部５６を有する。被係止部５６は、取付部材５０の上部に設けられている。被係止部５６及び係止部２５６は、筒状部２２０ｂを取付穴１２ｂに挿通した際に、互いに対向する。被係止部５６は、前方に向かって延びる第１係止片５６ａと、第１係止片５６ａの前端から上方に向かって延びる第２係止片５６ｂと、を有する。
【０１６１】
係止部２５６の第１溝部２５６ａの上下方向の幅は、被係止部５６の第２係止片５６ｂの上下方向の幅よりも狭い。係止部２５６の第２溝部２５６ｂの上下方向の幅及び左右方向の幅は、被係止部５６の第２係止片５６ｂの上下方向の幅及び左右方向の幅と実質的に同じである。第２溝部２５６ｂを前後方向に見た形状は、被係止部５６を前後方向に見た形状と実質的に同じである。
【０１６２】
図１２（ａ）及び図１２（ｂ）は、実施形態に係る吐水装置の第２変形例を表す背面図である。  
図１２（ａ）に表したように、吐水装置１０４を取付パネル１２ｆに取り付ける場合には、まず、筒状部２２０ｂを取付穴１２ｂに挿通するとともに、取付部材５０の被係止部５６を係止部２５６の第２溝部２５６ｂに挿し込む。
【０１６３】
図１２（ｂ）に表したように、ケーシング２００を横方向にスライド移動させることにより、被係止部５６の第１係止片５６ａを係止部２５６の第１溝部２５６ａに挿通する。このため、この例では、取付部材５０の開口部５０ａが、筒状部２２０ｂのスライド移動を許容可能な大きさに形成されている。
【０１６４】
第１係止片５６ａを第１溝部２５６ａに挿通すると、被係止部５６の第２係止片５６ｂが第１溝部２５６ａに係止され、ケーシング２００の前後方向の移動が規制される。換言すれば、筒状部２２０ｂの取付穴１２ｂからの抜けが規制される。これにより、吐水装置１０４が取付パネル１２ｆに取り付けられる。
【０１６５】
係止部２５６を被係止部５６に係止させてケーシング２００を取付パネル１２ｆに取り付けた後、開口部２００ｇ及びネジ穴５４ａに下方からネジを挿通し、ケーシング２００と取付部材５０とをネジ止めする。これにより、ケーシング２００のスライド移動が規制され、吐水装置１０４をより適切に取付パネル１２ｆに保持することができる。
【０１６６】
このように、ケーシング２００は、スライド移動させて係止部２５６を被係止部５６に係止させることにより、取付面１２ａ側から取付パネル１２ｆに取り付けてもよい。この例では、ケーシング２００を横方向にスライド移動させて係止部２５６を被係止部５６に係止させているが、これに限ることなく、例えば、ケーシング２００を上下方向にスライド移動させて係止部２５６を被係止部５６に係止させてもよい。
【０１６７】
このように、ケーシング２００と取付パネル１２ｆとの係止は、取付面１２ａと直交する回転軸を中心に回転させて係止させる構成でもよいし、取付面１２ａと平行な回転軸を中心に回転させて係止させる構成でもよいし、スライド移動させて係止させる構成でもよい。ケーシング２００と取付パネル１２ｆとの係止は、係止が可能な任意の構成でよい。
【０１６８】
また、取付パネル１２ｆに対するケーシング２００の取り付けは、係止部と被係止部とを係止させる構成に限ることなく、取り付けが可能な任意の構成でよい。例えば、スナップフィット構造によってケーシング２００を取付パネル１２ｆに取り付けてもよいし、ネジ止めなどでケーシング２００を取付パネル１２ｆに取り付けてもよい。また、ケーシング２００は、例えば、取付面１２ａの裏面側から取付パネル１２ｆに取り付けてもよい。
【０１６９】
上記各実施形態では、吐水装置１００、１０２、１０４を洗面化粧台２に適用した例を示している。吐水装置１００、１０２、１０４は、洗面化粧台２に限ることなく、例えば、水栓ユニットと洗面ボウルとを有する手洗い器などに適用してもよい。
【０１７０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、吐水システム１０や吐水装置１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１７１】
２ 洗面化粧台、  １０ 吐水システム、  １２ パネル部、  １２ａ 取付面、  １２ｆ 取付パネル、  １４ 水栓ユニット、  １４ａ 吐水口、  １６ 水栓操作部、  ２０ 洗面器、  ２２ 洗面ボウル、  ２４ 排水口、  ２６ オーバーフロー排水具、  ３０ 支持台、  ３１ 本体部、  ３２、３３ 扉、  ５０ 取付部材、  ５１、５２、５５、５６ 被係止部、  ５４ ネジ止め部、  １００、１０２、１０４ 吐水装置、  １１０ 給水装置、  ２００ ケーシング、  ２００ａ 前面、  ２００ｂ 上面、  ２００ｃ 底面、  ２００ｄ、２００ｅ 側面、  ２００ｓ 内部空間、  ２０２ 吐水ユニット、  ２０２ａ 吐水口、  ２０２ｆ フランジ部、  ２０２ｈ 本体部、  ２０４ 操作部、  ２０６ 表示部、  ２０８ 光照射部、  ２１０ 電子ユニット、  ２１２ 光照射ユニット、  ２１２ｓ 発光素子、  ２１４ 連結ユニット、  ２１６ シール部材、  ２２０ ベース、  ２２０ａ 板状部、  ２２０ｂ 筒状部、  ２２０ｃ 開口部、  ２２２ カバー、  ２２４ 表面シート、  ２３０ 基板、  ２３０ａ 実装面、  ２３２ 検出器、  ２３４ 発光素子、  ２３６ ケース、  ２３８ 電気配線、  ２４０ 通水部材、  ２４２ クリップ、  ２４４ シール部材、  ２５１、２５２、２５５、２５６ 係止部、  ３００ ストレーナ、  ３０２ 電磁弁、  ３０４ 調圧弁、  ３０６ 逆止弁、  ３０８ リリーフ弁、  ３１０ 漏水検知部、  ３１２ 機能水生成部、  ３１４ フィルタ、  ３２０ 制御部、  ３３０ 配管、  ３３２ ストレーナ、  ３３４ 止水栓、  ＰＳ 電力源、  ＷＳ 給水源
【図１】
0006697669.tif 000002
【図２】
0006697669.tif 000003
【図３】
0006697669.tif 000004
【図４】
0006697669.tif 000005
【図５】
0006697669.tif 000006
【図６】
0006697669.tif 000007
【図７】
0006697669.tif 000008
【図８】
0006697669.tif 000009
【図９】
0006697669.tif 000010
【図１０】
0006697669.tif 000011
【図１１】
0006697669.tif 000012
【図１２】
0006697669.tif 000013